(57)【要約】【課題】  パネル同士の接合や取り外しを容易にすることで、組み立て・分解・収納が簡単にでき、形や大きさを自由にアレンジできる丈夫な子供用ミニハウスを提供する。【解決手段】  両側面に出し入れ自由な鉤型留め具を内包したオスとしてのパネルと、鉤部を受ける引っ掛かり部を多方向に設けたメスとしての接合用部材とを組み合わせることで組み立て、パネルの一部を扉や窓など数種類のアタッチメントと交換できるようにする。【選択図】図２
2019194412.tif 000002
【特許請求の範囲】
【請求項１】
出し入れ自在な鉤型の留め具を両側面に内包させたパネルと、その鉤型留め具を受けるための引っ掛かり部分を複数方向に設けた柱状の接合用部材とからなり、パネルとパネルの間にこの接合用部材を介して接続させることでパネルをさまざまな向きに連結させ、かつ取り外すことも容易に出来ることを特徴とした、パネル連結装置。
【請求項２】
パネルの一部をくり抜き、そこに嵌め込むための扉や窓などのアタッチメントを数種類用意することで、好みの形の子供用ミニハウスを手軽に組み立てることができることを特徴とした、請求項１記載のパネル連結装置。
【発明の詳細な説明】
【技術分野】
【０００１】  本発明は、パネルの連結と取り外しを簡単にしたパネル連結装置に関する。
【背景技術】
【０００２】  パネル同士を連結させるために、一方の側面を凹部、もう一方の側面を凸部とし、凹部と凸部とを噛み合わせて繋げていくという方法がある。【０００３】  または、独立した接合用部材に溝を設け、そこにパネルを嵌め込んで、パネルと接合用部材とを交互に連結していくという方法がある。【０００４】  または、金具を用いてパネル同士を直接ビス留めするなどして連結していく方法がある。【０００５】  子供用のミニハウスにおいては、軽量で折り畳み可能な段ボール製やビニール製のものがある。【０００６】  プラスチックを用いた軽量で丈夫なミニハウスも存在する。
【先行技術文献】
【特許文献】
【０００７】
【特許文献１】特開  ２０００−３５５９９７
【特許文献２】特開  ２０１７−２１０７９７
【特許文献３】特開平  １０−２４９０６８
【特許文献４】実登  ３０５１１８８
【発明の概要】
【発明が解決しようとする課題】
【０００８】  従来の方法ではパネルを連結する向きに制限があったり、連結方法が面倒であったり、連結させたあとの一部の取り外しや解体が非常に困難であったりした。【０００９】  パネル同士を様々な方向に容易に連結でき、かつ部分的な取り外しや解体も簡単にできるようにする。【００１１】  市販されている段ボールやビニールで作られた子供用のミニハウスは壊れやすく、耐水性が低いので屋外での使用に適さないものだった。プラスチック製のものもあるが高価であり、組み立てや解体・収納が手軽にできない。【００１２】  屋外で使えて子供の乱暴な使い方に耐えられ、かつ組み立てや解体・収納が簡単なミニハウスを作れるようにする。【００１３】  市販されているミニハウスは形や大きさが決まっており、気分や好みや環境に合わせて形や大きさをアレンジすることが難しかった。【００１４】  扉や窓の形や配置をさまざまに替えて、独自の形にアレンジできるようにする。
【課題を解決するための手段】
【００１５】  両側面に出し入れ自在な鉤型の留め具を内包させたパネルと、その鉤型留め具を受けるための引っ掛かり部分を複数方向に設けた柱状の接合用部材を用意し、パネルとパネルの間にその接合用部材を介して接続させることで、パネルをさまざまな向きに連結させ、かつ取り外すことも簡単にする。【００１６】  パネルの一部をくり抜き、そこに嵌め込むための扉や窓などのアタッチメントを数種類用意する。それらを交換したり自由に配置することで、好みの形の子供用ミニハウスを手軽に組み立てることができるようにする。【００１７】  材質はポリエチレンのような軽くて丈夫で耐水性があり、子供に対して危険の無いものを用いる。
【発明の効果】
【００１８】  パネルをさまざまな方向に連結していくことが簡単にでき、連結したあとで一部のパネルの取り外しや解体もしやすいので、オフィスや病院などのパーテーションとしても使いやすい。【００１９】  好みの形や大きさの個性的なミニハウスが簡単に作れて、屋外で使える上に解体や収納もしやすくなる。【００２０】  パーテーションや子供用ミニハウスの他、アイデア次第で、巨大迷路や庭のフェンス、犬小屋やゴミ捨て場などさまざまに利用できる。【００２１】  壊れても、そのパネルだけを交換すれば済むようにできるので経済的である。
【図面の簡単な説明】
【００２２】
【図１】パネルに内包させる鉤型留め具である。ツマミ部分と鉤部とは一体構造になっている。
【図２】本発明の外観図である。３１と３２のツマミを回すことで２１と２２から留め具の鉤部が出て、それぞれ５１と５２に掛かり接合する。
【図３】パネル内における鉤型留め具の動きを示した断面図である。上下で取り付ける向きを変えてあり、これにより外れにくくなっている。
【図４】接合用部材を介して２枚のパネルを連結させた状態の断面図である。パネル内部の鉤型留め具が接合用部材の引っ掛かり部分に掛かかることで接合、固定される。
【図５】一本の接合用部材で連結可能なパネルとその向きである。接合用部材を三角柱にすれば、連結可能なパネルは３枚となりその向きも変わる。円柱にすれば、パネルの枚数や向きに制限がなくなる。
【図６】パネルの１１部分を取り外し、代わりに嵌め込むアタッチメントの例を示した図である。
【発明を実施するための形態】
【００２３】  パネル両側面の上下二箇所に、図１に示した鉤型の留め具Ｃを内包させる。この鉤型留め具Ｃは鉤部４１とツマミ部分３１とが一体となっており、ツマミ部を矢印方向に回すことで鉤部も同方向に動く。
【００２４】  通常、この鉤型留め具Ｃの鉤部４１はパネルＡ内に納まっているので見えないが、ツマミ部分３１を回すことで鉤部も同方向に動き、パネルＡ側面の開口部２１より出てくる仕組みになっている。上のＣと下のＣでは向きは違うが原理は同じである。これによりパネルは言わばオスとなり、パネル同士では連結できない。
【００２５】  パネル開口部２１及び２２から出た鉤部４１と４２は、隣接する連結用部材Ｂの開口部５１及び５２にそれぞれ掛かるようになっている。
【００２６】  図４に示す通り、鉤型留め具を受けるための引っ掛かり部分を複数方向に設けた接合用部材Ｂは言わばメスであり、Ｃの鉤部でロックすることによりパネルＡと接合するので、パネルとパネルの間にこの接合用部材を介在させることでパネルが連結される仕組みである。
【００２７】  上方に位置するＣは上から被せるようにＢの開口部５１に掛かるが、下方に位置するもう一つのＣは下向きになっており、下からすくい上げるようにしてＢの開口部５２に掛かるようになっている。これにより接合用部材Ｂを上下から挟み込むようにしてロックするため、パネルは外れない。
【００２８】  このようにパネルと接合用部材を交互に接合していくことで、パネルを無制限に連結していくことができる。また接合用部材はパネルを接合するための引っ掛かり部分を複数方向に設けているので、図５に示す通り一つの接合用部材で複数のパネルを別方向に同時に接合することができ、パネルを枝分かれさせて連結させることも可能となる。
【００２９】  今回の図では接合用部材Ｂを四角柱で示しているが、三角柱でも円柱でも原理は同じである。その場合、連結できるパネルの枚数と向きは変わることになる。
【００３０】  パネルの取り外しはツマミ部３１と３２を回してＣのロックを外すだけなので、多数のパネルを複雑に連結させた場合でも、他のパネルや接合用部材を動かすことなく、どのパネルでも自由に抜き取ることができる。
【００３１】  パネルのくり抜き部分に嵌め込むアタッチメントには、図６に示すようにさまざまな形の扉や窓を用意し、パネルはそのままでアタッチメントのみを交換することで、出入り口の位置や窓の形などを変えて個性的なミニハウスを作ることができるようにする。
【００３２】  段ボールやビニールではなくポリエチレンのような軽くて丈夫な素材を使うことで、強度と耐水性を確保する。
【符号の説明】
【００３３】Ａ・・・・・パネル本体である。
Ｂ・・・・・接合用部材である。
Ｃ・・・・・鉤型留め具である。パネルＡ内に４カ所内包される。
１０・・・・パネルＡの外枠部分である。
１１・・・・パネルＡに嵌め込まれた脱着可能なアタッチメント部分である。
１２・・・・ミニハウス用アタッチメントの一例である。
１３・・・・ミニハウス用アタッチメントの一例である。
１４・・・・ミニハウス用アタッチメントの一例である。
２１・・・・鉤部４１を出し入れするために設けられたパネルＡの開口部である。
２２・・・・鉤部４２を出し入れするために設けられたパネルＡの開口部である。
３１・・・・鉤部４１を出し入れするためのＣのツマミ部分である。
３２・・・・鉤部４２を出し入れするためのＣのツマミ部分である。
４１・・・・上方に取り付けたＣの鉤部である。
４２・・・・下方に取り付けたＣの鉤部である。
５１・・・・鉤部４１を受けるための接合用部材Ｂの開口部である。
５２・・・・鉤部４２を受けるための接合用部材Ｂの開口部である。
【図１】
2019194412.tif 000003
【図２】
2019194412.tif 000004
【図３】
2019194412.tif 000005
【図４】
2019194412.tif 000006
【図５】
2019194412.tif 000007
【図６】
2019194412.tif 000008